(57)【要約】【課題】引戸の開閉部材を固定部材に対して相対移動可能に保持してなる引戸の開閉装置において、開閉部材を閉止する装置に緩衝機能を持った引戸に、対応できる緩衝部付き開閉部材閉止装置を提供する。【解決手段】引戸付き家具における引戸の固定レール部に対して開閉戸を移動可能に保持してなる引戸開閉レールに、引戸の下部に戸車と戸の上部にカイドピンと突起ガイドピンを取り付けて、天板にガイドピンを捕捉レール部と突起ガイドピンと緩衝部を取り付け、引戸が閉じられる際、両ガイドピンが前記捕捉レール部を通って突起ガイドピンを前記緩衝部で捕捉して、戸の開閉の緩衝をもたらさせている緩衝引戸付き家具である  【選択図】図１
0003138284.tif 000002
【実用新案登録請求の範囲】
【請求項１】
引戸付き家具における引戸の固定レール部に対して開閉戸を移動可能に保持している引戸開閉において、引戸の下部に戸車と戸の上部にカイドピンと突起ガイドピンを取り付けて、天板にガイドピンを捕捉レール部と突起ガイドピン緩衝部を取り付けて、前記引戸が閉じられる際、両ガイドピンが前記捕捉レール部を通って突起ガイドピンを前記緩衝部で捕捉して戸の開閉を緩衝することにより前記引戸を閉止できるようになっていることを特徴とする緩衝機能付き引戸収納家具
【請求項２】
請求項１において、引戸の下部に取り付ける戸車は2個〜５個であって、戸車のロールの径を１５ｍｍ〜３０ｍｍの範囲にあって、引戸を駆動することを特徴とする緩衝機能付き引戸収納家具
【請求項３】
請求項１において、引戸の上部に設置されたガイドピン、及び突起ガイドピンは、下部にスピリングを付けてガイドピンの上下の摺動を容易にし、捕捉レールとの接触を緩衝させていることを特徴とする緩衝機能付き引戸収納家具
【請求項４】
請求項１において、ガイドピンを摺動させる捕捉レール部は、摺動部材が固定部材と係合している状態にて、ガイドピンの被捕捉部材と係脱可能な部材からなっていることを特徴とする緩衝機能付き引戸収納家具
【請求項５】
請求項１において、突起ガイドピンと緩衝部は、ガイドピン捕捉部の表面に倣って待避移動した後、復帰して前記捕捉レール部に捕捉され得るよう変位可能に弾力的に支持されていることを特徴とする緩衝機能付き引戸収納家具
【考案の詳細な説明】
【技術分野】
【０００１】
本考案は、引戸の開閉部材を固定部材に対して相対移動（摺動または回動）可能に保持してなる引戸の開閉装置において、開閉部材を閉止する装置に関し、より詳細には、コイルばね等の弾性体、緩衝体にて引っ張り力で開閉部材を閉止する際に開閉摺動を緩和させるように構成した緩衝機能である開閉部材閉止装置に関する。
【背景技術】
【０００２】
引戸の開閉部を備えた開閉装置の多くは、開閉部の荒閉まりを防止しつつ、閉止する開閉部材閉止装置を備えている。
この種の装置として、抽斗の側面に取り付けられたロック部と、家具外身の側壁に取り付けられた引き込み装置とを備え、抽斗が閉じられる際、引き込み装置によりロック部のピンを捕捉して家具の奥側に引き込むことにより、抽斗を閉止位置すなわち家具内に完全に収まった状態となる位置に移動させるように構成した閉止装置が知られている（特許文献１参照）。
【０００３】
この閉止装置は、ハウジングと、ハウジング内にスライド可能に設けられたキャリッジと、キャリッジの前部に取り付けられたカムと、ハウジングとカムとの間に掛け渡して設けられた引張ばねとを備えている。ハウジングには、カムに設けられたガイドピンを案内するガイドウエイ（スリット）が形成されている。
【０００４】
ガイドウエイは、ガイドピンを前後方向すなわち抽斗の移動方向に案内する直線部と、直線部の前端から略直角に折れ曲がった折曲部とを有しており、抽斗が開かれている時にはカムのガイドピンがハウジングのガイドウエイの直線部から折曲部の末端（オフセット末端）に移動することによりカムがハウジングの前部位置に保持される。この時、引張ばねは最も伸張された状態になっている。
【０００５】
この状態から抽斗を閉じようとすると、抽斗の側面に取り付けられたロック部のピンと家具外身の側壁に取り付けられた引き込み装置のカムとが噛み合い、カムは後方に押されて回動する。そして、カムのガイドピンがガイドウエイの折曲部から外れて直線部に入ると直ちに、ロック部のピンを捕捉した状態のカムがキャリッジごと引張ばねによって後方に引かれ、それによって抽斗がその移動範囲の最奥部である閉止位置に運ばれる。
【特許文献１】特開２００１−２４５７３８号公報
【考案の開示】
【考案が解決しようとする課題】
【０００６】
従来の引戸の緩衝付き閉止装置は、より大重量の収容物を収容可能な引戸の閉止装置として使用できるようにするためには、引っ張り力をより大きくしなければならない。引戸の大きさや重量が大きくなると、内容物も含めた引戸の荷重の大きさに対して引っ張り力が不足し、引戸の閉止が不完全になる可能性が高くなるからである。
【０００７】
従来の閉止装置の構造では、引戸が開かれているときすなわち、カムに設けられたガイドピンがハウジングのガイドウエイの折曲部の末端に位置し、引張ばねが最も伸張された状態になっているときには、引張ばねの引っ張り力がガイドウエイの末端に係合しているガイドピンにすべて掛かることになっている。
【０００８】
したがって、従来の閉止装置の構成はそのままとし、ばねの引っ張り力を大きくした場合、他の部品と比較して小さな部品であるカムにその力をすべて負担させることになるため、より大型のカムを使用するか、またはより高強度の材料を用いて成形したカムを使用しなければならない。大型のカムを使用した場合、それに伴い、そのカムを摺動可能に収容するハウジングも大型化せざるを得ないため、装置の小型化が困難になるという問題がある。また、高強度の材料を用いて成形したカムを用いた場合、装置の製造コストが増大するという問題が生じる。
【０００９】
本考案は、上記のような事情に鑑み創案されたものであり、その目的は、引戸などの開閉部材の荷重増に対して、装置を大型化あるいは高価格化することなく対応することができる開閉部材の閉止装置を提供することにある。引戸の開閉部材を固定部材に対して相対移動（摺動または回動）可能に保持してなる引き戸の開閉装置において、弾性体、緩衝体にて引っ張り力で開閉部材を閉止する際に開閉摺動を緩和させるように構成した緩衝機能である開閉部材閉止装置を引戸などの家具に提供することにある。
【課題を解決するための手段】
【００１０】
上記目的を達成するために、引戸付き家具における引戸の固定レール部に対して開閉戸を移動可能に保持してなる引き戸開閉レールにおいて、引戸の下部に戸車と戸の上部にカイドピンと突起ガイドピンを取り付けて固定して、天板にガイドピンを捕捉レール部と突起ガイドピンと緩衝部を取り付けて、前記引戸が閉じられる際、両ガイドピンが前記捕捉レール部を通って突起ガイドピンを前記緩衝部で捕捉して戸の開閉の緩衝をもたらさせていることにより前記引戸を閉止するように構成されている緩衝引戸付き家具である。
【００１１】
引戸の下部に取り付けている戸車は2個〜５個であって、戸車のロールの径を１５ｍｍ〜３０ｍｍである。好ましくは戸車が２〜３個であって、車の径は２０ｍｍ〜３０ｍｍである。引戸の上部に設置されたガイドピン、及び突起ガイドピンは下部にスピリングを付けてガイドピンの上下の摺動を容易にし、捕捉レールとの接触を緩衝させている。
引戸の上部に設置されたガイドピン、及び突起ガイドピンは下部にスピリングを付けてガイドピンの上下の摺動を容易にし、捕捉レールとの接触を緩衝させている。
【００１２】
前記摺動部材が前記固定要素と係合している状態にて前記被捕捉部材と係脱可能なフック部である。前記被捕捉部材は、前記捕捉部の表面に倣って待避移動した後復帰して前記捕捉部に捕捉され得るよう変位可能に弾力的に支持されている。
ガイドピンを摺動させる捕捉レール部は、摺動部材が固定部材と係合している状態にて被捕捉部材と係脱可能な部材でからなっている。突起ガイドピン緩衝部は、ガイドピン捕捉部の表面に倣って待避移動した後復帰して前記捕捉部に捕捉され得るよう変位可能に弾力的に支持されている緩衝機能付き引戸収納家具である。
【００１３】
上記のように構成された本考案の開閉部材閉止装置によれば、被ガイド部がガイド部の直線部内を移動することにより摺動部材が弾性体の伸縮方向に案内される。そして、被ガイド部がガイド部に移動することにより摺動部材と固定レールとが互いに係合し、被ガイド部がガイド部のレール部から直線部に移動することにより摺動部材との互いの係合がされる。摺動部材とレール部との互いの係合離脱は、バネなどの弾性体の縮方向と直交する方向に摺動部材とレールとが相対移動することにより容易に実現可能である。
【考案の効果】
【００１４】
本考案によると家具の引戸において開閉部で緩衝部である閉止装置によって、弾性体の引っ張り力を、レール捕捉部に負担させることなく摺動ですべて受けるように構成したことにより、引戸の扉の開閉の緩和をもたらせて、引っ張り力を大きくしてレールの捕捉を大型化あるいは高強度化する必要がないので、引戸の開閉の緩衝に対して、引戸などの家具の開閉を容易にして、大型化あるいは高価格化することなく対応することができる。
【考案を実施するための最良の形態】
【００１５】
以下、本考案を実施するための最良の形態について説明する。
図１は本考案の緩衝引戸付き収納家具の図である。図３〜図７は図１に示す開閉部材閉止装置の種々の状態を示した概略詳細図である。各図において同一部材あるいは同一部分には同一参照番号が付されている。図３は引戸の開閉レール部材の構造図、  （ａ）緩衝部  （ｂ）レール部、  図４はガイドピンと開閉レールの取り付けの図、  図５はガイドピンと緩衝部との関係の図、  図６は突起ガイドピンと開閉レールの取り付けの図、  図７は突起ガイドピンと緩衝部への作用の図、  図８は引戸のガイドピン、および突起ガイドピンと緩衝部との関係の図である。
【００１６】
この図１の引戸の緩衝閉止装置は、引戸（開閉部材）を荒閉まりや跳ね返りを防止しつつ閉止する装置であり、引戸に取り付けられた突起ガイドピン（被捕捉部材）と、引戸をスライド自在に案内する捕捉レール（固定部材）に取り付けられた緩衝部とを備えている。ガイドピンは、取り付部材を介して引戸の上部に固定して取り付けられている。
【００１７】
引戸は、天板において細長矩形状のレール保護ボックと捕捉レールと緩衝部とを備えている。細長矩形状のレール保護ボックに捕捉レールを取り付け、ボックス内に緩衝部を設置したものである。この緩衝部に引戸に取り付けたガイドピンによって戸の開閉のスピードを緩和されている。
【００１８】
捕捉レールは、固定要素である細長矩形状のレール保護ボック内に主に長手方向に摺動可能に設けられたレールスライダと、ガイドピンを捕捉すべくレールスライダに形成され、ガイドピンについてはレール捕捉部と、レールスライダとを引戸の閉止方向に付勢するべくスライダ前端部とガイドピンの内部に伸張させた状態で掛け渡して設けられた引張ばね（弾性体）を内臓されているガイドピンとレールスライダとをレール保護ボックから係脱させる係脱機能を備えている。
【００１９】
一般に家具としての引戸のサイズは、高さ４２０〜１９５０ｍｍ幅４５０〜８００ｍｍ厚み１８〜２６ｍｍであり、その材料は木材・アルミ・ＭＤＦを使用されている。
【実施例１】
【００２０】
図１で示す緩衝機能付き引戸収納家具の引戸の大きさは、高さ１５４３ｍｍ、幅５８５ｍｍ、厚み２１ｍｍであり、その材料はＭＤＦボードを使用されている。引戸の上部面にガイドピンと突起ガイドピンを納める穴を加工し、引戸の端から１８ｍｍが中心の位置に深さ８５ｍｍ、直径１２ｍｍの穴を加工し、上から深さ７ｍｍで、直径１５ｍｍの穴を加工し二段掘りをした。開閉方向の前側にガイドピンを入れ、後側に突起ガイドピンを入れた。天板に深さ２１．５ｍｍ、奥行き６１．５ｍｍの溝を掘り、開閉レールに緩衝部を入れ、溝に入れ込み取り付けた。
【００２１】
その家具の使用時の効果として、戸板の跳ね上がりを押さえることができた。閉まる１００ｍｍ手前からブレーキがかかり静かに閉まり、また戸板が跳ね返り開いたままになることも無かった。
【実施例２】
【００２２】
図９に示す緩衝機能付き引戸ガラス有り収納家具の引戸の大きさは、高さ１５４３ｍｍ、幅５８５ｍｍ、厚み２１ｍｍであり、材料はＭＤＦボードを使用した。上部面にガイドピンと突起ガイドピンを納める穴を加工し、引戸の端から１８ｍｍが中心の位置に深さ８５ｍｍ、直径１２ｍｍの穴を加工し、上から深さ７ｍｍは、直径１５ｍｍの穴を加工し二段掘りにする、開閉方向の前側にガイドピンを入れ、後側に突起ガイドピンを入れる。天板に深さ２１．５ｍｍ奥行き６１．５ｍｍの溝を掘り、開閉レールに緩衝部をいれ溝に入れ込み取り付けた。引戸の前面部に厚み４ｍｍのガラスを貼り付けた。
【００２３】
その家具の使用時の効果として、戸板の跳ね上がりを押さえることができた。閉まる１００ｍｍ手前からブレーキがかかり静かに閉まった。また、戸板が跳ね返り開いたままになることも無く、大型でガラスを付けて重量化しても動きは変らずスムーズに動いた。
【実施例３】
【００２４】
図１０で示すような緩衝機能付き引戸ガラス有りレンジボードの引戸の大きさは、高さ４００ｍｍ、幅４５０ｍｍ、厚み２１ｍｍであり、材料はＭＤＦボードを使用した。上部面にガイドピンと突起ガイドピンを納める穴を加工し、引戸の端から１８ｍｍが中心の位置に深さ８５ｍｍ、直径１２ｍｍの穴を加工し、上から深さ７ｍｍで、直径１５ｍｍの穴を加工し二段掘りにした。開閉方向の前側にガイドピンを入れ、後側に突起ガイドピンを入れた。天板に深さ２１．５ｍｍ奥行き６１．５ｍｍの溝を掘り、開閉レールに緩衝部をいれ溝に入れ込み取り付けた。引戸の前面部に厚み４ｍｍのガラスを貼り付けた。
【００２５】
その家具の使用時の効果として、戸板の跳ね上がりを押さえることができた。閉まる１００ｍｍ手前からブレーキがかかり静かに閉まった。また、戸板が跳ね返り開いたままになることも無く、ガラスを付けて重量化しても動きは変らずスムーズに動いた。
【図面の簡単な説明】
【００２６】
【図１】本考案の緩衝機能付き引戸収納家具の図
【図２】緩衝引戸付き家具の開閉部材における概略の構造図
【図３】引戸の開閉レール部材の構造図  （ａ）緩衝部  （ｂ）レール部
【図４】ガイドピンと開閉レールの取り付けの図
【図５】ガイドピンと緩衝部との関係の図
【図６】突起ガイドピンと開閉レールの取り付けの図
【図７】突起ガイドピンと緩衝部への作用の図
【図８】引戸のガイドピン、および突起ガイドピンと緩衝部との関係の図
【図９】緩衝機能付き引戸ガラス有り収納家具の図
【図１０】緩衝機能付き引戸ガラス有りレンジボードの図
【符号の説明】
【００２７】
１  天板
２  引戸 
３  ガイドピン
４  突起ガイドピン 
５  戸車
６  緩衝部 
７  捕捉レール
８  レール保護ボック
９  レールスライダ
【図１】
0003138284.tif 000003
【図２】
0003138284.tif 000004
【図３】
0003138284.tif 000005
【図４】
0003138284.tif 000006
【図５】
0003138284.tif 000007
【図６】
0003138284.tif 000008
【図７】
0003138284.tif 000009
【図８】
0003138284.tif 000010
【図９】
0003138284.tif 000011
【図１０】
0003138284.tif 000012